(57)【要約】【課題】排水量の調節が正確かつ容易であって、排水効率に優れた排水パイプの構造を提供する。【解決手段】貯水域の水面又は水面下に配置する排水パイプ１の構造において、排水パイプ１の側面１２に排水口１４が形成されていることを特徴とする。扉板開閉式と排水口可動式の２形態があり、前記扉板開閉式の排水パイプ１は、排水口１４に付設された扉板１５はパイプ内側面に摺接し、扉板１５を摺動させ排水口１４の解放面積１６の調節を行うことにより排水量の調節を行う。  排水口可動式の排水パイプ１は、パイプの、排水口１４を含む一定の範囲の側面１２が独立した可動部分１３として、上流側又は／及び下流側のパイプ部分に連結され、可動部分１３は前記上流側又は／及び下流側のパイプ部分に対して側面１２の周方向に回動可能であって、該回動操作を行い排水口１４の上下位置を変化させ、排水量の調節を行う。【選択図】図４
2019126263.tif 000002
【特許請求の範囲】
【請求項１】
貯水域の水面又は水面下に配置する排水パイプにおいて、前記排水パイプの側面に排水口が形成されていることを特徴とする前記排水パイプの構造。
【請求項２】
前記排水口には、開閉自在の扉板が付設されていることを特徴とする請求項１記載の排水パイプの構造。
【請求項３】
前記排水口に付設された前記扉板は前記排水パイプの内側面に摺接し、前記排水口の開閉操作において前記内側面を摺動することにより前記排水口の解放面積の調節がなされることを特徴とする請求項２記載の排水パイプの構造。
【請求項４】
前記排水口が形成された前記排水パイプの側面は、前記排水口を含む一定の範囲が独立した可動部分として、上流側又は／及び下流側のパイプ部分に連結され、前記可動部分は前記上流側又は／及び下流側のパイプ部分に対して前記側面の周方向に回動可能であることを特徴とする請求項１乃至３のいずれかに記載の排水パイプの構造。
【発明の詳細な説明】
【技術分野】
【０００１】
本発明は、水田等の貯水域の水位調整に使用される排水パイプの構造に関する。
【背景技術】
【０００２】
天候や稲の成長段階に応じた水田の水位調整は、稲作においては必須の作業である。この作業については、動力ポンプ等を使用した機械化がなされているところもあるが、資金や規模が限られる国内の水田の多くは、排水パイプの設置による自然排水方式が主流となっている。具体的には、図１に示すように、排水口として解放された端面を含むパイプ端部が回転するＬ字型の塩ビパイプ（通称「エルボ」）を畔近くの水面又は水面化に配置し、前期端部を回転させ前記端面と水面との位置関係を調整することによって前記パイプに流入する水量を調節する。
【０００３】
なかには、前記端面の排水口に遮蔽板が設置され、該遮蔽板により排水口を開閉することにより排水量を調節するものも市販されているが、パイプ端面が排水口となっている構造に変わりなく、本願発明のように、パイプ側面に排水口を有する構造の排水パイプはない。
【先行技術文献】
【特許文献】
【０００４】
【特許文献１】特開平１１−１３１４５８号公報
【特許文献２】特開２００５−１２４４３８号公報
【特許文献１】特開２００５−２４５４２６号公報
【特許文献１】特開２００５−０４００３８号公報
【発明の概要】
【発明が解決しようとする課題】
【０００５】
上述のエルボ等、端面が排水口となっているパイプを使用しての排水は、排水口と水面との位置関係を調整しながら排水するため、排水量の調節が難しいうえ、パイプが完全に水面下にあるときでも端面の面積分しか排水できないため、排水に時間がかかり、効率的ではないという問題がある。
【０００６】
特許文献1には、エルボタイプの排水パイプの端部Ｌ字部分を伸縮可能な蛇腹状とし、排水口の位置を上下させる方法で水位の調整を図る配水管の発明が開示されている。また、特許文献２には、パイプ端面の排水口を遮蔽するプレートを上下させることにより排水口の解放面積を調節する水田水位調節器が提案されている。さらに、特許文献３には、パイプ端部と水田との間に、上下に開閉する水位調節板を備えた箱を配置することにより、排水具の安定設置を目的とする排水具の発明が開示されている。
【０００７】
しかしながら、これらの発明は、いずれもパイプ端面を排水口として開放し、該解放面の面積を他の部材を取り付けて調節する構成をとるため、用具の作成と希望水位に応じた器具の調節が難しいうえ、泥石の除去等、部材のメンテナンスが頻繁に必要となる。また、最大限、端面の面積分しか排水できない点において、基本的にエルボ等従来の排水具と変わりなく、排水効率の観点からも問題が残る。
【０００８】
上述の問題に鑑み、本発明は、排水量の調節が正確かつ容易であって、排水効率に優れた排水パイプの構造を提供することを課題とする。
【課題を解決するための手段】
【０００９】
上記課題を解決するために、本発明の請求項１の発明は、貯水域の水面又は水面下に配置する排水パイプの構造において、前記排水パイプの側面に排水口が形成されていることを特徴とする。
【００１０】
請求項２の発明は、請求項１記載の排水口には、開閉自在の扉板が付設されていることを特徴とする。
【００１１】
請求項３の発明は、請求項２記載の扉板は前記排水パイプの内側面に摺接し、前記排水口の開閉操作において前記内側面を摺動することにより前記排水口の解放面積の調節がなされることを特徴とする。
【００１２】
請求項４の発明は、請求項1記載の発明において、前記排水口が形成された前記排水パイプの側面は、前記排水口を含む一定の範囲が独立した可動部分として、上流側又は／及び下流側のパイプ部分に連結され、前記可動部分は前記上流側又は／及び下流側のパイプ部分に対して前記側面の周方向に回動可能であることを特徴とする
【発明の効果】
【００１３】
請求項１乃至３の構造を有する排水パイプにおいては、パイプ側面の扉板を摺動させ排水口の解放面積を調整することにより、また、請求項４の構造を有する排水パイプにおいては、排水口があるパイプ可動部分を回動させ排水口の水面に対する位置を変位させることにより、容易に、また、正確に排水量を調節することができる。
【００１４】
パイプ端面ではなく、側面に排水口を形成することにより、排水口の面積を端面より大きくすることができる。これにより、請求項１乃至３の構造を有する排水パイプにおいては、水面下に配置したパイプの側面に位置する大面積の排水口を全開することにより、また、請求項４の構造を有する排水パイプにおいては、排水口の位置を水面に対して略平行かつパイプ表側にすることにより、多くの水量を短時間で排水することができ、排水効率が向上する。
【図面の簡単な説明】
【００１５】
【図１】従来の排水パイプによる作業の様子を示す写真である。
【図２】実施形態１の排水パイプによる作業の様子を示す写真である。
【図３】実施形態１の排水パイプの正面図である。（Ａ），（Ｂ），（Ｃ）は扉板の変位を示す。
【図４】実施形態２の排水パイプの写真である。
【図５】実施形態１の排水パイプの正面図である。（Ａ），（Ｂ），（Ｃ）は独立可動部分の変位を示す。
【発明を実施するための形態】
【００１６】
以下に、本発明の実施形態１及び２について図を用いて説明する。
【００１７】
（実施形態１）
実施形態１の排水パイプの構造は、請求項３に記載の排水パイプの構造である。
従来の排水パイプは端面が排水口として解放されているが、本実施形態に係る排水パイプは、図２に示すように、パイプ側面１２に排水口１４が形成され、端面１１は閉鎖されている。また、排水口１４には、側面１２の内側に摺接する形で扉板１５が付設され、操作つまみ１５１を動かすことにより扉板１５が側面１２の内側を周方向に摺動し、排水口解放部１６の面積が調整される。
【００１８】
図３各図は、扉板１５の位置によって排水口解放部１６の面積が変化する様子を示す。（Ａ）は排水口１４が閉鎖、（Ｂ）は半開き、（Ｃ）は全開の状態を示す。すなわち、本実施形態の排水パイプは、排水口１４の扉板１５を変位させることにより、排水量の調節を行う構成となっている。
【００１９】
（実施形態２）
実施形態２の排水パイプの構造は、請求項４に記載の排水パイプの構造である。
図４及び５に示すように、本実施形態の排水パイプは、側面１２に排水口１４を有する点において、構造上、実施形態１の排水パイプと共通する。相違する点は以下の２点である。
【００２０】
第１に、本実施形態の排水パイプは扉板を有さず、排水口１４は常時解放されていること。第２に、排水口１４の水面に対する位置が変位することである。すなわち、本実施形態においては、パイプ側面１２の構成において、排水口１４を含む一定の範囲が可動部分１３として、上流側パイプ部分と下流側パイプ部分から動的に独立した状態で連結されており、端面１１に設置された操作レバー１３１を回すことにより、可動部分１３が、周方向に回動する構造になっている。
【００２１】
図５各図は、操作レバー１３１を回すことにより可動部分１３が回動し、排水口１４の位置が鉛直方向に変化する様子を示す。（Ａ）の状態で排水口１４は水面に対して略平行かつパイプ側面の裏側にある。この状態では水はパイプ内に流入せず、排水は行われない。（Ｂ）は排水口１４が水面に対して略垂直の位置にあり、適度の排水が行われる。（Ｃ）は排水口１４が水面に対して略平行かつパイプ側面の表側にある状態で、上方から多量の水がパイプ内に流入し、最も効果的に排水が行われる。すなわち、本実施形態の排水パイプは、排水口１４の水面に対する位置を変化させることにより、排水量の調節を行う構成となっている。
【００２２】
以上、本発明の有する特徴及び優れた点を、発明の構成と機能の詳細をあげて上記実施形態に記載したが、本発明は、本発明の原理の範囲内で、本願の特許請求の範囲で使用されている言葉を広く一般的な意味にまで広げて、上記実施形態とは異なる形での実施が可能である。例えば、実施形態１又は２では、パイプ側面に排水口を設置し、端面は閉鎖されているが、側面及び端面の両方に排水口を設置する形で実施することもできる。また、実施形態１の扉板は周方向ではなく長手方向に摺動する方式とすることも可能である。さらに、請求項１又は２の発明においては、扉板は内側面でなく外側面に摺接する形で設置することもでき、これらの選択は、いずれのものも本発明の技術的範囲に含まれるものと解する。
【符号の説明】
【００２３】
１      排水パイプ
１１    端面
１２    側面
１３    独立可動部分
１３１  操作レバー
１４    排水口
１５    扉板
１５１  操作つまみ
１６    排水口解放部（解放面積）
２      エルボ
２１    排水口（エルボ）
３      貯水域（水田）
【図１】
2019126263.tif 000003
【図２】
2019126263.tif 000004
【図３】
2019126263.tif 000005
【図４】
2019126263.tif 000006
【図５】
2019126263.tif 000007